(57)【特許請求の範囲】
【請求項１】
コンテンツを表示する携帯端末であって、
駐車場に設置され、ビーコン信号を発信する発信装置と、前記携帯端末のユーザが乗車している車両に搭載され、ビーコン信号を発信する車載サーバとのそれぞれからビーコン信号を受信する受信部と、
前記受信部が受信したビーコン信号の受信履歴を記憶する記憶部と、
前記受信部がビーコン信号を受信した場合に、当該ビーコン信号と、前記受信履歴とに基づいて、前記受信部が前記発信装置と前記車載サーバとのそれぞれから所定時間内にビーコン信号を受信したと判定すると、コンテンツを選択する選択部と、
選択された前記コンテンツを表示部に表示させる表示制御部と、
を備える携帯端末。
【請求項２】
コンテンツを表示する携帯端末であって、
ビーコン信号を発信する発信装置から前記ビーコン信号を受信する受信部と、
前記ビーコン信号の受信履歴を記憶する記憶部と、
前記携帯端末のユーザが乗車している車両に搭載され、前記ユーザの属性を管理する車載サーバから、前記ユーザの属性を取得する取得部と、
前記受信部が前記ビーコン信号を受信すると、当該ビーコン信号と、前記受信履歴と、前記取得部が取得したユーザの属性とに基づいてコンテンツを選択する選択部と、
選択された前記コンテンツを表示部に表示させる表示制御部と、
を備える携帯端末。
【請求項３】
前記選択部は、前記受信履歴に基づいて、前記受信部が受信したビーコン信号の受信間隔を特定し、当該受信間隔に基づいて前記コンテンツを選択する、
請求項１又は２に記載の携帯端末。
【請求項４】
前記選択部は、前記受信履歴に基づいて、前記受信部が受信したビーコン信号の受信順序を特定し、当該受信順序に基づいて前記コンテンツを選択する、
請求項１から３のいずれか１項に記載の携帯端末。
【請求項５】
前記携帯端末のユーザが乗車している車両に搭載されている車載サーバから、駐車場における前記車両の駐車時間を取得する取得部を備え、
前記選択部は、取得した前記駐車時間に基づいて前記コンテンツを選択する、
請求項１から４のいずれか１項に記載の携帯端末。
【請求項６】
前記携帯端末のユーザが乗車している車両に搭載されている車載サーバから、前記車両の所定期間における走行距離を取得する取得部を備え、
前記選択部は、取得した前記走行距離に基づいて前記コンテンツを選択する、
請求項１から５のいずれか１項に記載の携帯端末。
【請求項７】
前記選択部は、前記受信部がビーコン信号を受信した時刻に基づいて前記コンテンツを選択する、
請求項１から６のいずれか１項に記載の携帯端末。
【請求項８】
ビーコン信号を発信する発信装置から前記ビーコン信号を受信し、携帯端末が受信したビーコン信号の受信履歴を前記携帯端末から受信する受信部と、
前記受信部が前記発信装置から受信したビーコン信号の受信履歴を記憶する記憶部と、
前記受信部が前記ビーコン信号を受信すると、当該ビーコン信号と、前記記憶部に記憶されている受信履歴と、前記受信部が前記携帯端末から受信した受信履歴とに基づいてコンテンツを選択する選択部と、
選択された前記コンテンツを携帯端末に配信する配信部と、
を備える車載サーバ。
【請求項９】
コンピュータにより実行される、
駐車場に設置され、ビーコン信号を発信する発信装置と、前記コンピュータのユーザが乗車している車両に搭載され、ビーコン信号を発信する車載サーバとのそれぞれから前記ビーコン信号を受信するステップと、
前記受信するステップにおいてビーコン信号を受信した場合に、当該ビーコン信号と、ビーコン信号の受信履歴とに基づいて、前記発信装置と前記車載サーバとのそれぞれから所定時間内にビーコン信号を受信したと判定すると、コンテンツを選択するステップと、
選択された前記コンテンツを表示部に表示させるステップと、
を備える情報提供方法。
【請求項１０】
コンピュータにより実行される、
ビーコン信号を発信する発信装置から前記ビーコン信号を受信するステップと、
前記コンピュータのユーザが乗車している車両に搭載され、前記ユーザの属性を管理する車載サーバから、前記ユーザの属性を取得するステップと、
前記受信するステップにおいて前記ビーコン信号を受信すると、当該ビーコン信号と、ビーコン信号の受信履歴と、前記取得するステップにおいて取得した前記ユーザの属性とに基づいてコンテンツを選択するステップと、
選択された前記コンテンツを表示部に表示させるステップと、
を備える情報提供方法。
【発明の詳細な説明】
【技術分野】
【０００１】
本発明は、携帯端末、車載サーバ及び情報提供方法に関する。
【背景技術】
【０００２】
従来、近距離無線通信を用いてビーコン装置に定期的にビーコン信号を発信させ、ビーコン信号を受信した端末に情報を提供することが行われている。例えば、特許文献１には、ビーコン装置が、通信端末に対してメインデータを含むビーコン信号を送信すると、サーバから複数のサブデータを順次取得し、当該サブデータを通信端末に対して順次送信するシステムが開示されている。
【先行技術文献】
【特許文献】
【０００３】
【特許文献１】特開２０１５−１４４４０３号公報
【発明の概要】
【発明が解決しようとする課題】
【０００４】
しかしながら、特許文献１に記載のシステムでは、一のビーコン装置がメインデータやサブデータ等の異なるデータを送信する場合、ビーコン装置の構成が複雑になる。このため、単純に一定のビーコン信号を発信する安価なビーコン装置を使用することができず、システムの構築に掛かるコストが増加するという問題がある。
【０００５】
また、特許文献１に記載のシステムでは、通信端末において大量の情報を受信することができるものの、複数の通信端末のそれぞれにおいて異なる情報を表示することができず、複数の通信端末のユーザにきめ細かいサービスを提供することができないという問題がある。
【０００６】
そこで、本発明はこれらの点に鑑みてなされたものであり、ビーコン信号の受信に応じてユーザに適した情報を低コストで提供することができる携帯端末、車載サーバ及び情報提供方法を提供することを目的とする。
【課題を解決するための手段】
【０００７】
本発明の第１の態様に係る携帯端末は、ビーコン信号を発信する発信装置から前記ビーコン信号を受信する受信部と、前記ビーコン信号の受信履歴を記憶する記憶部と、前記受信部が前記ビーコン信号を受信すると、当該ビーコン信号と、前記受信履歴とに基づいてコンテンツを選択する選択部と、選択された前記コンテンツを表示部に表示させる表示制御部と、を備える。
【０００８】
前記選択部は、前記受信履歴に基づいて、前記受信部が受信したビーコン信号の受信間隔を特定し、当該受信間隔に基づいて前記コンテンツを選択してもよい。
前記選択部は、前記受信履歴に基づいて、前記受信部が受信したビーコン信号の受信順序を特定し、当該受信順序に基づいて前記コンテンツを選択してもよい。
【０００９】
前記携帯端末は、前記携帯端末のユーザが乗車している車両に搭載されている車載サーバから、駐車場における前記車両の駐車時間を取得する取得部を備え、前記選択部は、取得した前記駐車時間に基づいて前記コンテンツを選択してもよい。
前記携帯端末は、前記携帯端末のユーザが乗車している車両に搭載されている車載サーバから、前記車両の所定期間における走行距離を取得する取得部を備え、前記選択部は、取得した前記走行距離に基づいて前記コンテンツを選択してもよい。
【００１０】
前記選択部は、前記受信部が駐車場に設置されている前記発信装置と、前記携帯端末のユーザが乗車している車両に搭載され、ビーコン信号を発信する車載サーバとのそれぞれから所定時間内に前記ビーコン信号を受信すると、前記コンテンツを選択してもよい。
【００１１】
前記携帯端末は、前記携帯端末のユーザが乗車している車両に搭載され、前記ユーザの属性を管理する車載サーバから、前記ユーザの属性を取得する取得部を備え、前記選択部は、前記ユーザの属性に基づいて前記コンテンツを選択してもよい。
前記選択部は、前記受信部が前記ビーコン信号を受信した時刻に基づいて前記コンテンツを選択してもよい。
【００１２】
本発明の第２の態様に係る車載サーバは、ビーコン信号を発信する発信装置から前記ビーコン信号を受信する受信部と、前記ビーコン信号の受信履歴を記憶する記憶部と、前記受信部が前記ビーコン信号を受信すると、当該ビーコン信号と、前記受信履歴とに基づいてコンテンツを選択する選択部と、選択された前記コンテンツを携帯端末に配信する配信部と、を備える。
【００１３】
前記受信部は、前記携帯端末から、前記携帯端末が受信したビーコン信号の受信履歴を受信し、前記選択部は、前記受信部が前記ビーコン信号を受信すると、当該ビーコン信号と、前記受信部が受信したビーコン信号の受信履歴と、前記携帯端末が受信したビーコン信号の受信履歴とに基づいてコンテンツを選択してもよい。
【００１４】
本発明の第３の態様に係る情報提供方法は、コンピュータにより実行される、ビーコン信号を発信する発信装置から前記ビーコン信号を受信するステップと、受信したビーコン信号と、ビーコン信号の受信履歴とに基づいてコンテンツを選択するステップと、選択された前記コンテンツを表示部に表示させるステップと、を備える。
【発明の効果】
【００１５】
本発明によれば、ビーコン信号の受信に応じてユーザに適した情報を低コストで提供することができるという効果を奏する。
【図面の簡単な説明】
【００１６】
【図１】第１実施形態に係る携帯端末の概要を説明する図である。
【図２】第１実施形態に係る携帯端末の構成を示す図である。
【図３】第１実施形態に係る条件情報の一例を示す情報である。
【図４】第１実施形態に係る車載サーバの構成を示す図である。
【図５】第１実施形態に係る携帯端末がコンテンツを選択して表示する処理の流れを示すシーケンス図である。
【図６】第２実施形態に係る車載サーバの構成を示す図である。
【発明を実施するための形態】
【００１７】
＜第１実施形態＞
［携帯端末１の概要］
図１は、第１実施形態に係る携帯端末１の概要を説明する図である。携帯端末１は、発信装置２が発信するビーコン信号を受信するとともに、車両３に搭載されている車載サーバ４から各種情報を取得する端末である。携帯端末１は、車両３に乗車しているユーザが所持しているスマートフォン等の携帯電話機である。
【００１８】
発信装置２は、Ｂｌｕｅｔｏｏｔｈ（登録商標）Ｌｏｗ  Ｅｎｅｒｇｙ等の近距離無線通信を使用してビーコン信号を所定の間隔で発信する装置であり、イベント会場、観光施設、店舗等、及びこれらの駐車場に設けられている。
【００１９】
図１（ａ）に示すように、携帯端末１のユーザが、車両３に乗車して観光施設を訪問したとする。携帯端末１は、観光施設の駐車場に設置されている発信装置２Ａからビーコン信号ＢＡを受信すると、当該ビーコン信号ＢＡの受信履歴を記憶するとともに、車両３に設けられている車載サーバ４から、車両３の駐車時間や走行距離等の車両３に関する情報を取得する。ここで、ビーコン信号ＢＡは、ビーコン信号を識別するビーコンＩＤが「ＢＡ」のビーコン信号を示すものとする。
【００２０】
携帯端末１は、複数のコンテンツの保存場所を示す情報を予め記憶しており、受信したビーコン信号ＢＡと、受信履歴と、車載サーバ４から取得した車両３に関する情報とに基づいて、複数のコンテンツのうち、一のコンテンツを選択する。図１（ａ）に示す例において、携帯端末１は、観光施設の施設情報を示すコンテンツを選択し、当該コンテンツを表示する。
【００２１】
携帯端末１のユーザが観光施設に入場し、携帯端末１が、図１（ｂ）に示すように観光施設の内部に設置されている発信装置２Ｂからビーコン信号ＢＢを受信すると、携帯端末１は、当該ビーコン信号ＢＢの受信履歴を記憶する。携帯端末１は、ビーコン信号ＢＢを受信すると、受信したビーコン信号ＢＢと、受信履歴とに基づいて、コンテンツを選択する。図１（ｂ）に示す例において、携帯端末１は、観光施設の詳細情報を示すコンテンツを選択し、当該コンテンツを表示する。
【００２２】
携帯端末１のユーザが観光施設から退場して駐車場に戻ると、携帯端末１は、図１（ｃ）に示すように、観光施設の駐車場に設置されている発信装置２Ａからビーコン信号ＢＡを受信するとともに、車載サーバ４から車両３に関する情報等を取得する。
【００２３】
携帯端末１は、受信したビーコン信号ＢＡと、受信履歴と、車両３に関する情報とに基づいて、コンテンツを選択する。ここで、受信履歴には、観光施設内に設置されている発信装置２Ｂから受信したビーコン信号ＢＢの受信履歴が含まれている。これにより、携帯端末１は、観光施設に入場する前に選択したコンテンツとは異なる、施設訪問のお礼を示すコンテンツを選択し、当該コンテンツを表示する。
【００２４】
このように、携帯端末１は、同一のビーコン信号を受信しても異なるコンテンツを表示する。よって、イベント会場や観光施設等に設置する発信装置２を、同一のビーコン信号のみを発信する低コストの発信装置にすることができるので、ユーザに適した情報を低コストで提供することができる。
【００２５】
［携帯端末１の構成］
続いて、携帯端末１が備える構成について説明する。図２は、第１実施形態に係る携帯端末１の構成を示す図である。
携帯端末１は、入力部１１と、表示部１２と、無線部１３と、記憶部１４と、制御部１５とを備える。
【００２６】
入力部１１は、例えば、ボタンやタッチパネルであり、携帯端末１のユーザから操作入力を受け付ける。
表示部１２は、例えば、液晶ディスプレイや有機ＥＬ（Electro-Luminescence）ディスプレイであり、制御部１５の制御に応じてコンテンツを表示する。
【００２７】
無線部１３は、制御部１５から出力された信号を変調してＲＦ（Radio Frequency）信号を生成し、アンテナ（不図示）を介して当該ＲＦ信号を基地局（不図示）や車載サーバ４と無線送信する。無線部１３は、アンテナを介して基地局や車載サーバ４から受信したＲＦ信号を復調し、復調により得られた信号を制御部１５に出力する。
【００２８】
また、無線部１３は、アンテナを介して、発信装置２が発信したビーコン信号を示すＲＦ信号を受信する。無線部１３は、当該ＲＦ信号を復調することにより得られたビーコン信号を制御部１５に出力する。以下の説明において、携帯端末１は、無線部１３を介して基地局、車載サーバ４、及び発信装置２と通信を行うものとする。
【００２９】
記憶部１４は、例えば、ＲＯＭ及びＲＡＭである。記憶部１４は、携帯端末１を機能させるための各種プログラムを記憶する。例えば、記憶部１４は、携帯端末１の制御部１５を、後述する受信部１５１、記憶制御部１５２、取得部１５３、選択部１５４、及び表示制御部１５５として機能させるための情報提供用プログラムを記憶する。記憶部１４は、外部メモリ等の記憶媒体に記憶されたプログラムを読み取って記憶してもよく、基地局を介して外部機器からダウンロードされたプログラムを記憶してもよい。
【００３０】
また、記憶部１４は、表示部１２に表示させるコンテンツの保存場所を示す情報を予め複数記憶する。ここで、コンテンツの保存場所を示す情報は、例えば、インターネット等のネットワークを介して携帯端末１が通信可能なサーバのアドレスを示している。なお、携帯端末１がコンテンツを記憶していてもよく、この場合、コンテンツの保存場所を示す情報は、記憶部１４におけるコンテンツの記憶領域を示している。また、記憶部１４は、これらのコンテンツを表示部１２に表示させる条件を示す条件情報を記憶する。図３は、条件情報の一例を示す情報である。図３に示すように、条件情報には、受信したビーコン信号のビーコンＩＤと、受信履歴に含まれるビーコンＩＤと、車両３の走行距離と、駐車時間と、表示するコンテンツの識別情報とが関連付けて記憶されている。ここで、条件情報に示されている「−」は、「−」に対応する項目が条件として指定されていないことを示す。
【００３１】
なお、コンテンツの保存場所を示す情報及び条件情報は記憶部１４に予め記憶されているものとしたが、これに限らない。例えば、制御部１５が、携帯端末１に設けられている位置特定機能を利用して、携帯端末１の位置を特定し、当該位置から所定範囲内にある施設等に関連するコンテンツの保存場所を示す情報及び条件情報を取得し、記憶部１４に記憶させるようにしてもよい。
【００３２】
また、制御部１５が、車両３に設けられているナビゲーションシステム（不図示）から、車両３の行先を示す情報を取得し、当該行先に対応する位置、又は当該位置から所定範囲内にある施設等に関連するコンテンツの保存場所を示す情報及び条件情報を取得し、記憶部１４に記憶させるようにしてもよい。
【００３３】
制御部１５は、例えば、ＣＰＵである。制御部１５は、記憶部１４に記憶されている各種プログラムを実行することにより、携帯端末１に係る機能を制御する。制御部１５は、受信部１５１と、記憶制御部１５２と、取得部１５３と、選択部１５４と、表示制御部１５５とを備える。
【００３４】
受信部１５１は、発信装置２から発信されたビーコン信号を受信する。ここで、ビーコン信号には、上述したようにビーコン信号を識別するビーコンＩＤが含まれている。ビーコンＩＤには、例えば、観光施設等を識別する識別情報や、観光施設内の各エリアや観光施設の駐車場を識別する識別情報が含まれている。なお、ビーコンＩＤには、各エリアにおけるオブジェクトやアトラクション等を識別する識別情報が含まれていてもよい。
【００３５】
記憶制御部１５２は、受信部１５１がビーコン信号を受信したことに応じて、ビーコン信号の受信履歴を記憶部１４に記憶させる。受信履歴には、受信部１５１が受信したビーコン信号のビーコンＩＤと、当該ビーコン信号の受信時刻とが含まれている。
【００３６】
取得部１５３は、携帯端末１のユーザが乗車している車両３に車載サーバ４が搭載されている場合、当該車載サーバ４から、車両３に関する情報等を取得する。具体的には、取得部１５３は、車載サーバ４から、車両３が停車していた時間、すなわち、車両３が駐車場に駐車されていた場合には、駐車時間を取得する。また、取得部１５３は、車両３の所定期間（例えば、現在の日にち）における走行距離を取得する。
【００３７】
なお、車載サーバ４は、例えば、車両３が停車したことに応じて、車両３に関する情報を含むビーコン信号を定期的に発信してもよい。この場合、受信部１５１は、車載サーバ４から発信された、車両３に関する情報を含むビーコン信号を受信してもよい。
【００３８】
選択部１５４は、受信部１５１がビーコン信号を受信すると、当該ビーコン信号と、記憶部１４に記憶されているビーコン信号の受信履歴とに基づいて、表示部１２に表示させるコンテンツを選択する。
【００３９】
具体的には、選択部１５４は、受信部１５１がビーコン信号を受信すると、記憶部１４に記憶されている受信履歴を参照し、所定期間内に受信部１５１が受信したビーコン信号のビーコンＩＤを特定する。そして、選択部１５４は、受信したビーコン信号のビーコンＩＤと、受信履歴から特定したビーコンＩＤと、記憶部１４に記憶されている条件情報とに基づいて表示部１２に表示させるコンテンツを選択する。
【００４０】
以下に、条件情報が図３に示すものであるとして、選択部１５４の処理の詳細について説明する。
選択部１５４は、条件情報を参照し、受信したビーコン信号のビーコンＩＤに関連付けられているコンテンツのうち、受信履歴においてビーコンＩＤが指定されているコンテンツを特定する。選択部１５４は、例えば、受信したビーコン信号のビーコンＩＤが「ＢＡ」である場合、受信履歴においてビーコンＩＤ「ＢＢ」が指定されているコンテンツＣ３−１、Ｃ３−２、及びＣ３−３を特定する。
【００４１】
選択部１５４は、記憶部１４に記憶されている受信履歴にビーコンＩＤ「ＢＢ」が含まれている場合には、コンテンツＣ３−１、Ｃ３−２、及びＣ３−３のいずれかのコンテンツを選択する。ここで、コンテンツＣ３−１、Ｃ３−２は、取得部１５３が駐車時間を取得している場合に選択されるコンテンツであり、コンテンツＣ３−３は、取得部１５３が駐車時間を取得していない場合に選択されるコンテンツである。
【００４２】
選択部１５４は、取得部１５３が駐車時間を取得している場合、取得部１５３が取得した駐車時間に基づいてコンテンツを選択する。選択部１５４は、取得された駐車時間が、１時間未満である場合には、コンテンツＣ３−１を選択し、取得された駐車時間が、１時間以上である場合には、コンテンツＣ３−２を選択する。また、選択部１５４は、取得部１５３が駐車時間を取得していない場合には、コンテンツＣ３−３を選択する。
【００４３】
選択部１５４は、受信したビーコン信号のビーコンＩＤが「ＢＡ」であり、受信履歴にビーコンＩＤ「ＢＢ」を含んでいない場合には、コンテンツＣ１−１、Ｃ１−２、Ｃ１−３のうち、いずれかのコンテンツを選択する。ここで、コンテンツＣ１−１、Ｃ１−２は、取得部１５３が走行距離を取得している場合に選択されるコンテンツであり、コンテンツＣ１−３は、取得部１５３が走行距離を取得していない場合に選択されるコンテンツである。
【００４４】
選択部１５４は、取得部１５３が取得した走行距離に基づいてコンテンツを選択する。例えば、選択部１５４は、取得した走行距離が、３０ｋｍ未満である場合には、コンテンツＣ１−１を選択し、取得した走行距離が、３０ｋｍ以上である場合には、コンテンツＣ１−２を選択する。また、選択部１５４は、取得部１５３が走行距離を取得していない場合には、コンテンツＣ１−３を選択する。例えば、コンテンツＣ１−２に、「長時間の運転お疲れ様でした」等のメッセージを含ませることにより、携帯端末１は、ユーザの状況にあわせて適切な情報を提供することができる。
【００４５】
また、選択部１５４は、受信したビーコン信号のビーコンＩＤが「ＢＢ」である場合には、条件情報において、特定のビーコンＩＤを受信履歴として含むことを表示条件とするコンテンツがないため、受信履歴に含まれているビーコンＩＤに関係なくコンテンツＣ２を選択する。
【００４６】
なお、選択部１５４は、受信履歴に基づいて、受信部１５１が受信したビーコン信号の受信間隔を特定し、当該受信間隔に基づいてコンテンツを選択してもよい。例えば、条件情報において、ビーコン信号の受信間隔を示す情報をコンテンツの選択条件として設定しておき、選択部１５４が、条件情報を参照し、受信履歴から特定したビーコン信号の受信間隔を選択条件としているコンテンツを選択してもよい。
【００４７】
例えば、観光施設の駐車場に設置されている発信装置２Ａが発信するビーコン信号と、観光施設の内部に設置されている発信装置２Ｂが発信するビーコン信号との受信間隔が短いか信号強度が弱い場合には、携帯端末１のユーザは、観光施設を十分に見学していない可能性が高い。そこで、条件情報において、発信装置２Ａが発信するビーコン信号ＢＡと、発信装置２Ｂが発信するビーコン信号ＢＢとの受信間隔が所定時間よりも短い場合に、再来場を促すコンテンツが選択されるように設定してもよい。
【００４８】
また、選択部１５４は、受信履歴に基づいて、受信部１５１が受信したビーコン信号の受信順序を特定し、当該受信順序に基づいてコンテンツを選択してもよい。例えば、条件情報において、ビーコン信号の受信順序を示す情報をコンテンツの選択条件として設定しておき、選択部１５４が、条件情報を参照し、受信履歴から特定したビーコン信号の受信順序を選択条件としているコンテンツを選択してもよい。
【００４９】
例えば、観光施設内において、アトラクションのそれぞれに対応して発信装置２を設置しておき、条件情報において、アトラクションを巡る順序が所定の順序である場合に、特典を付与するコンテンツが選択されるように設定する。そして、所定の順序でアトラクションを巡ると特典が付される旨をユーザに周知する。このようにすることで、観光施設の管理者は、施設内におけるユーザの行動を制御することができる。
【００５０】
また、選択部１５４は、受信部１５１がビーコン信号を受信した時刻に基づいてコンテンツを選択してもよい。例えば、条件情報に、ビーコン信号を受信した時間帯を示す情報をコンテンツの選択条件として設定しておき、選択部１５４が、条件情報を参照し、ビーコン信号の受信時刻に対応する時間帯を選択条件としているコンテンツを選択してもよい。
【００５１】
例えば、観光施設において、昼夜で異なるアトラクションを提供する場合には、条件情報において、ビーコン信号の受信時刻が日中の時間帯である場合に、昼に提供されるアトラクションを紹介するコンテンツが選択され、ビーコン信号の受信時刻が夜の時間帯である場合に、夜に提供されるアトラクションを紹介するコンテンツが選択されるように設定する。このようにすることで、携帯端末１のユーザは、提供中のアトラクションに対応したコンテンツを閲覧することができる。
【００５２】
また、選択部１５４は、携帯端末１のユーザの属性を特定し、当該ユーザの属性に基づいてコンテンツを選択してもよい。例えば、車載サーバ４は、車両３に乗車する１以上のユーザの携帯端末と通信を行い、携帯端末１のユーザの属性として、ユーザが複数の他ユーザとともに観光施設に来場しているか否かを管理する。そして、取得部１５３は、駐車場において、発信装置２Ａからビーコン信号を受信したことに応じて、車載サーバ４からユーザの属性を取得することにより、ユーザの属性を特定する。そして、選択部１５４は、特定したユーザの属性に対応するコンテンツを選択する。
【００５３】
例えば、選択部１５４は、ユーザの属性が複数の他ユーザとともに来場していることを示していると判定すると、複数人での来場に適用される特典を示すコンテンツを選択する。また、選択部１５４は、ユーザの属性が単独で来場していることを示していると判定すると、一人でも楽しめるアトラクションを紹介するコンテンツを選択する。このようにすることで、携帯端末１は、ユーザの属性に適したコンテンツを提供することができる。
【００５４】
また、条件情報において、２つのビーコン信号を所定時間内に受信することをコンテンツの選択条件として設定しておき、選択部１５４が、受信部１５１が駐車場に設置されている発信装置２Ａと、ビーコン信号を発信する車載サーバ４とのそれぞれから所定時間内にビーコン信号を受信すると、コンテンツを選択してもよい。このようにすることで、携帯端末１は、ユーザが自動車で観光施設に来場した場合に限定して、コンテンツを表示することができる。
【００５５】
また、車載サーバ４は、例えば、車両３に設けられているナビゲーションシステムから、車両３の行先を示す情報を取得し、当該情報に対応するビーコン信号を出力するようにしてもよい。例えば、車載サーバ４は、車両３の行先までの距離が所定距離未満となったことに応じて、行先に関連するコンテンツに対応しているビーコン信号を出力してもよい。このようにすることで、携帯端末１は、車両３が行先に到着する前に、当該行先のコンテンツを選択し、当該コンテンツを表示することができる。
【００５６】
表示制御部１５５は、選択部１５４が選択したコンテンツを、コンテンツの保存場所を示す情報に基づいて取得し、表示部１２に表示させる。ここで、携帯端末１は、表示制御部１５５がコンテンツを表示部１２に表示させる際に、携帯端末１に設けられたスピーカ（不図示）から所定音を出力したり、振動部（不図示）を振動させたりすることで、コンテンツが表示部１２に表示されることを携帯端末１のユーザに通知してもよい。
【００５７】
ここで、観光施設の駐車場の入口に発信装置２Ａを設置している場合、携帯端末１は、ユーザが乗車している車両３が駐車場に入ったタイミングでビーコン信号を受信し、当該ビーコン信号に対応するコンテンツを表示する。しかしながら、ユーザが車両３を運転している場合、車両３が駐車場に入ったタイミングでコンテンツが表示されても、ユーザが当該コンテンツを即座に閲覧することができない。このため、例えば、駐車が完了したタイミングでコンテンツが表示されることが好ましい。
【００５８】
そこで、条件情報において、コンテンツを表示するタイミングとして、選択部１５４がコンテンツを選択してから表示制御部１５５が当該コンテンツを表示するまでの時間を規定しておき、表示制御部１５５が、当該タイミングに基づいて、選択部１５４が選択したコンテンツを表示してもよい。このようにすることで、携帯端末１は、適切なタイミングでコンテンツを表示部１２に表示させることができる。
【００５９】
［車載サーバ４の構成］
続いて、車載サーバ４が備える構成について説明する。図４は、第１実施形態に係る車載サーバ４の構成を示す図である。
車載サーバ４は、無線部４１と、記憶部４２と、制御部４３とを備える。
【００６０】
無線部４１は、制御部４３から出力された信号を変調してＲＦ信号を生成し、アンテナ（不図示）を介して当該ＲＦ信号を基地局（不図示）や携帯端末１に無線送信する。無線部４１は、アンテナを介して基地局や携帯端末１から受信したＲＦ信号を復調し、復調により得られた信号を制御部４３に出力する。
【００６１】
また、無線部４１は、アンテナを介して、発信装置２が発信したビーコン信号を示すＲＦ信号を受信する。無線部４１は、当該ＲＦ信号を復調することにより得られたビーコン信号を制御部４３に出力する。以下の説明において、車載サーバ４は、無線部４１を介して基地局、携帯端末１、及び発信装置２と通信を行うものとする。
【００６２】
記憶部４２は、例えば、ＲＯＭ及びＲＡＭである。記憶部４２は、車載サーバ４を機能させるための各種プログラムを記憶する。例えば、記憶部４２は、車載サーバ４の制御部４３を、後述する第１特定部４３１、第２特定部４３２、及び提供部４３３として機能させるための車載サーバ用プログラムを記憶する。記憶部４２は、外部メモリ等の記憶媒体に記憶されたプログラムを読み取って記憶してもよく、基地局を介して外部機器からダウンロードされたプログラムを記憶してもよい。
【００６３】
制御部４３は、例えば、ＣＰＵである。制御部４３は、記憶部４２に記憶されている各種プログラムを実行することにより、車載サーバ４に係る機能を制御する。制御部４３は、第１特定部４３１と、第２特定部４３２と、提供部４３３とを備える。
【００６４】
第１特定部４３１は、車両３に関する情報を特定する。第１特定部４３１は、例えば、ナビゲーションシステムから、車両３の現在位置を示す位置情報や、車両３の走行距離を取得する。また、第１特定部４３１は、取得した位置情報に基づいて、車両３が駐車場に停止しているか否かを判定し、駐車場における車両３の駐車時間を特定する。
【００６５】
第２特定部４３２は、車両３に乗車する１以上のユーザの携帯端末と通信を行い、携帯端末のユーザの属性を特定する。例えば、第２特定部４３２は、複数の携帯端末と通信可能である場合には、車両３に乗車するユーザの属性が、複数の他ユーザとともに観光施設に来場していることを示す属性であると特定する。また、第２特定部４３２は、一の携帯端末とのみ通信可能である場合には、車両３に乗車するユーザの属性が、単独で観光施設に来場していることを示す属性であると特定する。
【００６６】
提供部４３３は、携帯端末１から、車両３に関する情報及びユーザの属性を示す情報の取得要求を受信したことに応じて、第１特定部４３１が特定した車両３に関する情報、及び第２特定部４３２が特定したユーザの属性を示す情報を携帯端末１に送信することにより、これらの情報を携帯端末１に提供する。
なお、提供部４３３は、例えば、車両３が停止している場合に、ビーコン信号を定期的に発信することにより、第１特定部４３１が特定した車両３に関する情報、及び第２特定部４３２が特定したユーザの属性を示す情報を携帯端末１に提供してもよい。
【００６７】
［携帯端末１における処理の流れ］
続いて、携帯端末１がコンテンツを選択して表示する処理の流れについて説明する。図５は、第１実施形態に係る携帯端末１がコンテンツを選択して表示する処理の流れを示すシーケンス図である。なお、本シーケンスの開始時において、記憶部１４にはビーコン信号ＢＢの受信履歴が含まれていないものとする。
【００６８】
まず、携帯端末１のユーザが、車両３に乗車して観光施設の駐車場に到着したとする。この場合、携帯端末１の受信部１５１は、駐車場に設置されている発信装置２Ａが発信したビーコン信号ＢＡを受信する。また、取得部１５３は、ビーコン信号ＢＡを受信したことに応じて、車両３に搭載されている車載サーバ４から車両３に関する情報を受信する。
【００６９】
続いて、記憶制御部１５２は、受信部１５１が受信したビーコン信号ＢＡの受信履歴を記憶部１４に記憶させる（Ｓ１０）。
続いて、選択部１５４は、受信したビーコン信号ＢＡと、取得した車両３に関する情報と、ビーコン信号の受信履歴とに基づいてコンテンツを選択する（Ｓ２０）。ここで、車両３に関する情報には、走行距離が「１００ｋｍ」であることを示す情報が含まれているとする。上述したようにシーケンスの開始時において、記憶部１４にビーコン信号ＢＢの受信履歴が含まれていないことから、選択部１５４は、図３に示す条件情報に基づいて、コンテンツＣ１−２を選択する。表示制御部１５５は、選択されたコンテンツＣ１−２を表示部１２に表示させる。
【００７０】
続いて、携帯端末１のユーザが、観光施設に入場すると、携帯端末１の受信部１５１は、観光施設内に設置されている発信装置２Ｂが発信したビーコン信号ＢＢを受信する。
続いて、記憶制御部１５２は、受信部１５１が受信したビーコン信号ＢＢの受信履歴を記憶部１４に記憶させる（Ｓ３０）。
続いて、選択部１５４は、受信したビーコン信号ＢＢと、ビーコン信号の受信履歴とに基づいてコンテンツを選択する（Ｓ４０）。ここで、選択部１５４は、図３に示す条件情報に基づいて、受信履歴に含まれているビーコンＩＤに関係なく、コンテンツＣ２を選択する。表示制御部１５５は、選択されたコンテンツＣ２を表示部１２に表示させる。
【００７１】
続いて、携帯端末１のユーザが、観光施設から退場して駐車場に戻ると、携帯端末１の受信部１５１は、駐車場に設置されている発信装置２Ａが発信したビーコン信号ＢＡを受信する。また、取得部１５３は、車両３に搭載されている車載サーバ４から車両３に関する情報を受信する。
【００７２】
続いて、記憶制御部１５２は、受信部１５１が受信したビーコン信号ＢＡの受信履歴を記憶部１４に記憶させる（Ｓ５０）。
続いて、選択部１５４は、受信したビーコン信号ＢＡと、ビーコン信号の受信履歴とに基づいてコンテンツを選択する（Ｓ６０）。ここで、車両３に関する情報には、駐車時間が「２時間」であることを示す情報が含まれているものとする。また、受信履歴には、ビーコンＩＤ「ＢＢ」が含まれていることから、選択部１５４は、図３に示す条件情報に基づいて、コンテンツＣ３−２を選択する。表示制御部１５５は、選択されたコンテンツＣ３−２を表示部１２に表示させる。
【００７３】
［第１実施形態における効果］
以上のとおり、第１実施形態に係る携帯端末１は、受信部１５１がビーコン信号を受信すると、当該ビーコン信号と、ビーコン信号の受信履歴とに基づいてコンテンツを選択し、選択されたコンテンツを表示部１２に表示させる。このようにすることで、携帯端末１は、同一のビーコン信号を受信しても異なるコンテンツを表示部１２に表示させることができる。よって、発信装置２を、同一のビーコンＩＤのみ発信する単純な構成の装置とすることができるので、携帯端末１は、ユーザに適した情報を低コストで提供することができる。
【００７４】
＜第２実施形態＞
［車載サーバ４がビーコン信号の受信履歴に基づくコンテンツを配信する］
続いて、第２実施形態について説明する。第２実施形態では、車載サーバ４が、自身が受信したビーコン信号、及び携帯端末１が受信したビーコン信号の受信履歴に基づいてコンテンツを選択し、当該コンテンツを携帯端末１に配信する点で第１実施形態と異なる。以下に、第２実施形態に係る車載サーバ４について図面を参照して説明する。なお、第１実施形態と同様の構成については同一の符号を付し、詳細な説明を省略する。
【００７５】
図６は、第２実施形態に係る車載サーバ４の構成を示す図である。
第２実施形態に係る車載サーバ４の制御部４３は、第１特定部４３１と、第２特定部４３２と、受信部４３４と、記憶制御部４３５と、選択部４３６と、配信部４３７とを備える。
【００７６】
記憶部４２は、コンテンツを携帯端末１に配信する条件を示す条件情報を記憶する。
第１特定部４３１及び第２特定部４３２の機能は、第１実施形態に係る第１特定部４３１及び第２特定部４３２の機能と同一である。
受信部４３４は、発信装置２から発信されたビーコン信号を受信する。また、受信部４３４は、携帯端末１が受信したビーコン信号の受信履歴を、携帯端末１から受信する。
【００７７】
記憶制御部４３５は、第１特定部４３１及び第２特定部４３２が特定した情報を記憶部４２に記憶させる。また、記憶制御部４３５は、受信部４３４がビーコン信号を受信したことに応じて、ビーコン信号の受信履歴を記憶部４２に記憶させる。また、記憶制御部４３５は、携帯端末１が受信したビーコン信号の受信履歴を記憶部４２に記憶させる。
【００７８】
選択部４３６は、受信部４３４がビーコン信号を受信すると、当該ビーコン信号と、記憶部４２に記憶されている、受信部４３４が受信したビーコン信号の受信履歴と、携帯端末１が受信したビーコン信号の受信履歴とに基づいて、携帯端末１に配信するコンテンツを選択する。選択部４３６が、これらの受信履歴に基づいてコンテンツを選択する処理は、第１実施形態の選択部１５４と同様であるので、説明を省略する。
【００７９】
配信部４３７は、選択部４３６が選択したコンテンツを携帯端末１に配信する。具体的には、配信部４３７は、選択されたコンテンツの保存場所を示す情報に基づいて、コンテンツを取得する。そして、携帯端末１からのコンテンツ取得要求を受信したことに基づいて、取得したコンテンツを当該携帯端末１に送信する。ここで、配信部４３７は、記憶部４２に予め記憶されている携帯端末１のメールアドレスや、メッセンジャーサービスのＩＤに基づいて、携帯端末１にコンテンツを送信可能である旨を通知するようにしてもよい。
【００８０】
［第２実施形態における効果］
以上のとおり、第２実施形態に係る車載サーバ４は、受信部４３４がビーコン信号を受信すると、当該ビーコン信号と、ビーコン信号の受信履歴とに基づいてコンテンツを選択し、選択されたコンテンツを携帯端末１に配信する。このようにすることで、車載サーバ４は、同一のビーコン信号を受信しても異なるコンテンツを携帯端末１に配信することができる。よって、発信装置２を、同一のビーコンＩＤのみ発信する単純な構成の装置とすることができるので、車載サーバ４は、第１実施形態に係る携帯端末１と同様に、ユーザに適した情報を低コストで提供することができる。
【００８１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００８２】
１・・・携帯端末、１１・・・入力部、１２・・・表示部、１３・・・無線部、１４・・・記憶部、１５・・・制御部、１５１・・・受信部、１５２・・・記憶制御部、１５３・・・取得部、１５４・・・選択部、１５５・・・表示制御部、２・・・発信装置、３・・・車両、４・・・車載サーバ、４１・・・無線部、４２・・・記憶部、４３・・・制御部、４３１・・・第１特定部、４３２・・・第２特定部、４３３・・・提供部、４３４・・・受信部、４３５・・・記憶制御部、４３６・・・選択部、４３７・・・配信部
【図１】
0006513534.tif 000002
【図２】
0006513534.tif 000003
【図３】
0006513534.tif 000004
【図４】
0006513534.tif 000005
【図５】
0006513534.tif 000006
【図６】
0006513534.tif 000007